(57)【要約】【課題】薄型の表示パネルを有する表示装置を提供することを課題とする。【解決手段】複数の蛍光灯が配列された表示パネル（１０１）と、前記表示パネルと別個に構成され、前記表示パネルと電気的に接続されるセットトップボックス（５０１）とを有し、前記セットトップボックスは、受信したテレビ放送信号の中から指定されたチャンネルのテレビ放送信号を選別し、前記表示パネルにビデオ信号を出力するためのチューナー（１１１）と、交流電圧を直流電圧に変換する電源（３０２）と、前記電源により変換された直流電圧を入力し、前記表示パネルの前記複数の蛍光灯に交流電圧を供給するインバータ（１０２）とを有することを特徴とする表示装置が提供される。【選択図】図１
2011082758.tif 000002
【特許請求の範囲】
【請求項１】
複数の蛍光灯が配列された表示パネルと、
前記表示パネルと別個に構成され、前記表示パネルと電気的に接続されるセットトップボックスとを有し、
前記セットトップボックスは、
受信したテレビ放送信号の中から指定されたチャンネルのテレビ放送信号を選別し、前記表示パネルにビデオ信号を出力するためのチューナーと、
交流電圧を直流電圧に変換する電源と、
前記電源により変換された直流電圧を入力し、前記表示パネルの前記複数の蛍光灯に交流電圧を供給するインバータとを有することを特徴とする表示装置。
【請求項２】
前記セットトップボックスは、前記チューナーにより選別されたテレビ放送信号を入力し、ビデオ信号を前記表示パネルに出力する映像エンジンを有することを特徴とする請求項１記載の表示装置。
【請求項３】
さらに、オーディオ信号を基に発音を行うスピーカーを有し、
前記セットトップボックスは、前記チューナーにより選別されたテレビ放送信号を入力し、オーディオ信号を増幅して前記スピーカーに出力するオーディオアンプを有することを特徴とする請求項１又は２記載の表示装置。
【請求項４】
前記セットトップボックスは、記録媒体に記録された信号を再生し、前記表示パネルにビデオ信号を出力するための記録媒体再生部を有することを特徴とする請求項１〜３のいずれか１項に記載の表示装置。
【請求項５】
前記表示パネルは、液晶表示パネルであることを特徴とする請求項１〜４のいずれか１項に記載の表示装置。
【発明の詳細な説明】
【技術分野】
【０００１】
本発明は、表示装置に関する。
【背景技術】
【０００２】
図５は、液晶表示装置の構成例を示す図である。液晶表示パネル９０１は、複数の蛍光灯９０２を有する。インバータ９０３は、バランサ９０４を有する。例えば、４２インチの液晶表示パネル９０１の場合、液晶表示装置は２０個の蛍光灯９０２及び合計４０個のバランサ９０４を有する。蛍光灯９０２は、インバータ９０３から電源の供給を受けて点灯するバックライトである。インバータ９０３は、直流電圧を交流電圧に変換する。バランサ９０４は、複数の蛍光灯９０２に同じ電流を流すための変圧器である。
【０００３】
図６は、図５の液晶表示装置の側面図である。インバータ９０３は、液晶表示パネル９０１の裏側に設けられる。例えば、液晶表示パネル９０１は、蛍光灯９０２の他、保護フィルム１０１１、液晶１０１２、偏向板１０１３、プリズムシート１０１４及び拡散板１０１５を有する。液晶表示パネル９０１の厚さＬ１１は約４０ｍｍ、インバータ９０３及び樹脂パネル１０１６の合計の厚さＬ１２は約４０ｍｍである。液晶表示装置は、液晶表示パネル９０１及びインバータ９０３が表裏に重ねられているので、厚さがＬ１１＋Ｌ１２＝８０ｍｍである。
【０００４】
インバータ９０３は、変圧器を小型化にするため、高周波数の交流電圧を出力する。交流電圧が高周波数である場合、蛍光灯９０２の浮遊容量の影響が大きくなるため、インバータ９０３と蛍光灯９０２との間の配線距離を短くする必要がある。そのため、インバータ９０３は、液晶表示パネル９０１の裏面に設けられる。その場合、液晶表示装置の厚さは、液晶表示パネル９０１及びインバータ９０３を含めた合計の厚さになるため、薄くすることが困難である。
【０００５】
また、直流入力に対して所定の周波数(f)で極性切り替えを行うことにより、前記所定の周波数(f)の低周波駆動電圧を出力する極性切換回路と、前記極性切換回路の出力回線に一端が接続された複数の蛍光灯と、前記複数の蛍光灯の他端にそれぞれ接続され、各蛍光灯に等しい電流を流すための、トランジスタを含む定電流回路からなる均流回路とを備える蛍光灯の点灯装置が知られている（例えば、特許文献１参照）。
【先行技術文献】
【特許文献】
【０００６】
【特許文献１】国際公開第２００７／０５５２８９号
【発明の概要】
【発明が解決しようとする課題】
【０００７】
本発明の目的は、薄型の表示パネルを有する表示装置を提供することである。
【課題を解決するための手段】
【０００８】
本発明の表示装置は、複数の蛍光灯が配列された表示パネルと、前記表示パネルと別個に構成され、前記表示パネルと電気的に接続されるセットトップボックスとを有し、前記セットトップボックスは、受信したテレビ放送信号の中から指定されたチャンネルのテレビ放送信号を選別し、前記表示パネルにビデオ信号を出力するためのチューナーと、交流電圧を直流電圧に変換する電源と、前記電源により変換された直流電圧を入力し、前記表示パネルの前記複数の蛍光灯に交流電圧を供給するインバータとを有することを特徴とする。
【発明の効果】
【０００９】
インバータ及び電源を表示パネル内ではなく、セットトップボックス内に設けることにより、表示パネルを薄型にすることができる。
【図面の簡単な説明】
【００１０】
【図１】本発明の実施形態による液晶表示装置の構成例を示す図である。
【図２】本実施形態による液晶表示装置の側面図である。
【図３】本実施形態による液晶表示装置の一部の構成例を示す回路図である。
【図４】図３の液晶表示装置の電圧波形を示す図である。
【図５】液晶表示装置の構成例を示す図である。
【図６】図５の液晶表示装置の側面図である。
【発明を実施するための形態】
【００１１】
図１は、本発明の実施形態による液晶表示装置の構成例を示す図である。液晶表示装置は、例えば液晶テレビ装置であり、液晶表示パネル１０１、左側スピーカー１１０Ｌ、右側スピーカー１１０Ｒ、及びセットトップボックス５０１を有する。セットトップボックス５０１は、液晶表示パネル１０１と別個に構成され、液晶表示パネル１０１と電気的に接続される。液晶表示パネル１０１には、複数の蛍光灯１０３が配列されている。例えば、４２インチの液晶表示パネル１０１は、約２０個の蛍光灯１０３を有する。蛍光灯１０３は、セットトップボックス５０１内のインバータ１０２から交流電圧の供給を受けて点灯するバックライトであり、例えば、冷陰極管（Cold Cathode Fluorescent Lamp：ＣＣＦＬ）又は熱陰極管（Hot Cathode Fluorescent Lamp：ＨＣＦＬ）である。液晶表示パネル１０１は、図６と同様に、蛍光灯１０３の他、保護フィルム１０１１、液晶１０１２、偏向板１０１３、プリズムシート１０１４及び拡散板１０１５を有する。液晶表示パネル１０１は、セットトップボックス５０１内の映像エンジン１１４からビデオ信号を入力し、映像を表示する。スピーカー１１０Ｌ及び１１０Ｒは、セットトップボックス５０１内のオーディオアンプ１１４からオーディオ信号を入力し、そのオーディオ信号を基に発音を行う。左側スピーカー１１０Ｌは、液晶表示パネル１０１の左側に配置され、左側オーディオ信号を基に発音を行う。右側スピーカー１１０Ｒは、液晶表示パネル１０１の右側に配置され、右側オーディオ信号を基に発音を行う。スピーカー１１０Ｌ及び１１０Ｒは、液晶表示パネル１０１と同一平面上に設けられる。
【００１２】
セットトップボックス５０１は、チューナー１１１、記録媒体（ＤＶＤ／ブルーレイディスク）再生部１１２、赤外線（ＩＲ）受光部１１３、映像エンジン／オーディオアンプ１１４、インバータ１０２、及び電源（スタンバイ電源）３０２を有する。電源３０２は、例えば、周波数が５０Ｈｚ又は６０Ｈｚの１００Ｖの交流電圧を入力し、その交流電圧を直流電圧に変換する。そして、電源３０２は、チューナー１１１、記録媒体再生部１１２及び映像エンジン／オーディオアンプ１１４に１２Ｖ又は５Ｖの直流電圧を供給し、液晶表示パネル１０１に１２Ｖの直流電圧及びグランド電位（ＧＮＤ）を供給する。ユーザは、リモコンを操作することにより液晶表示装置に種々の指示を行うことができる。リモコンは、ユーザの操作に基づき赤外線信号を出力する。赤外線受光部１１３は、リモコンから赤外線信号を受信する。
【００１３】
チューナー１１１は、地上波テレビ放送又はＢＳテレビ放送のアンテナに接続され、受信したテレビ放送信号の中から指定されたチャンネルのテレビ放送信号を選別し、映像エンジン１１４を介して液晶表示パネル１０１にビデオ信号（ＬＶＤＳ）を出力する。ユーザはリモコンを用いてチャンネルを指定することができ、チャンネルは赤外線受光部１１３を介して入力された赤外線信号により指定される。映像エンジン１１４は、チューナー１１１により選別されたテレビ放送信号を入力し、ビデオ信号を液晶表示パネル１０１に出力する。オーディオアンプ１１４は、チューナー１１１により選別されたテレビ放送信号を入力し、テレビ放送信号内のオーディオ信号を増幅してスピーカー１１０Ｌ及び１１０Ｒに出力する。記録媒体再生部１１２は、ＤＶＤ又はブルーレイディスク等の記録媒体に記録された信号を再生し、映像エンジン１１４を介して液晶表示パネル１０１にビデオ信号を出力し、オーディオアンプ１１４を介してスピーカー１１０Ｌ及び１１０Ｒにオーディオ信号を出力する。ユーザは、リモコンを用いて記録媒体の再生又は停止等を指示することができる。記録媒体再生部１１２は、赤外線受光部１１３を介して入力された赤外線信号に応じて再生又は停止等を行う。なお、記録媒体再生部１１２は、チューナー１１１により選別されたテレビ放送信号を記録媒体に記録する記録部（レコーダー）の機能を有していてもよい。インバータ１０２は、電源３０２により変換された直流電圧を入力し、液晶表示パネル１０１の複数の蛍光灯１０３に交流電圧（ピークトゥピーク電圧が１５００Ｖ）を供給する。蛍光灯１０３は、交流電圧の供給を受けて点灯する。また、インバータ１０２のグランド電位端子と液晶表示パネル１０１のグランド電位端子とは相互に接続される。
【００１４】
インバータ１０２は、直流電圧を交流電圧に変換し、後述する図３の構成により、低周波数の交流電圧を出力することができる。その場合、蛍光灯１０３の浮遊容量の影響が小さくなる。また、蛍光灯１０３の浮遊容量の影響を小さくすることができるので、インバータ１０２と蛍光灯１０３との間の配線距離を長くすることができる。そのため、インバータ１０２は、液晶表示パネル１０１とは別構成のセットトップボックス５０１内に設けることができる。
【００１５】
図２は、本実施形態による液晶表示装置の側面図である。液晶表示パネル１０１は壁５０２に取り付けることができ、液晶表示装置は壁掛テレビ装置として利用することができる。また、図１のスピーカー１１０Ｌ及び１１０Ｒも、同様に壁５０２に取り付けることができる。セットトップボックス５０１は、インバータ１０２を有し、床の上などに置くことができる。インバータ１０２は、配線を介して、液晶表示パネル１０１内の蛍光灯１０３に電圧を供給することができる。インバータ１０２を含むセットトップボックス５０１の置き方は、自由自在になる。液晶表示パネル１０１の厚さＬ１は、例えば、４２インチの場合には約４０ｍｍであり、液晶表示パネル１０１の薄型化及び軽量化を実現することができる。図１のスピーカー１１０Ｌ及び１１０Ｒの厚さも、液晶表示パネル１０１と同等の厚さにすることが好ましい。これにより、液晶表示装置の厚さＬ１は約４０ｍｍになり、図６の液晶表示装置の厚さ（８０ｍｍ）の約半分にまで薄型化することができる。また、インバータ１０２は、液晶表示パネル１０１と一体に設けられるのではなく、セットトップボックス５０１内に設けられる特徴を有する。これにより、液晶表示パネル１０１の背面側の発熱量が極度に少なくなるので、液晶表示パネル１０１を壁５０２内に埋め込むこともできる。また、セットトップボックス５０１（インバータ１０２を含む）と液晶表示パネル１０１との間の配線距離を長くすることができるので、セットトップボックス５０１（インバータ１０２を含む）のロケーションフリーを実現することができる。
【００１６】
図３は本実施形態による液晶表示装置の一部の構成例を示す回路図であり、図４は図３の液晶表示装置の電圧波形を示す図である。図３では、電源３０２、インバータ１０２及び液晶表示パネル１０１を示す。液晶表示パネル１０１は、複数の蛍光灯１０３、シャーシ７０５及び小規模のバランサ７０６を有する。シャーシ７０５は、グランド電位ノードに接続されている。インバータ１０２は、ブリッジ回路７０１、変圧器７０２、整流回路７０３、及びブリッジ回路７０４を有する。
【００１７】
電源３０２は、交流電圧を直流電圧Ｓ１に変換し、直流電圧Ｓ１を出力する。電源３０２の出力線の一方は、グランド電位ノードに接続される。ブリッジ回路７０１は、トランジスタ及び容量を有し、直流電圧Ｓ１を交流電圧Ｓ２に変換する。変圧器７０２は、交流電圧Ｓ２を昇圧し、交流電圧Ｓ３を出力する。交流電圧Ｓ２の周波数を高くすることにより、変圧器７０２を小型にすることができる。整流回路７０３は、ダイオード及び容量を有し、交流電圧Ｓ３を整流及び昇圧し、電圧Ｓ４を出力する。ブリッジ回路７０４は、整流された電圧Ｓ４の正負の極性を交互に切り替え、低周波数の交流電圧Ｓ５を複数の蛍光灯１０３にバランサ７０６を介して並列に出力する。小規模のバランサ７０６は、抵抗により構成され、抵抗値を調整することにより、複数の蛍光灯１０３に均等な電流を流すことができる。バランサ７０６を変圧器でなく、抵抗で構成することにより、バランサ７０６を小型化することができる。また、バランサ７０６をインバータ１０２から削除することができるので、インバータ１０２を小型化し、インバータ１０２のコストを低減することができる。
【００１８】
本実施形態によれば、低周波数の交流電圧Ｓ５により複数の蛍光灯１０３を点灯させることができる。低周波数の電圧で蛍光灯１０３を点灯させることにより、蛍光灯１０３及びシャーシ（グランド電位ノード）７０５との間に発生する浮遊容量の影響を低減することができる。これにより、液晶表示パネル１０１とインバータ１０２との間の配線距離を長くすることができる。
【００１９】
液晶表示装置は、液晶表示パネル１０１とインバータ１０２との間の配線距離を長くすることができるので、液晶表示パネル１０１とは別構成のセットトップボックス５０１内にインバータ１０２を設けることができる。これにより、液晶表示装置を薄型化することができる。また、低周波数の電圧で蛍光灯１０３を点灯させることにより、損失が小さくなり、発熱量を小さくすることができ、放熱板が不要になる。本実施形態は、特に、蛍光灯１０３の数が多い４０インチ以上の大型の液晶表示装置においてメリットが大きい。
【００２０】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００２１】
１０１  液晶表示パネル
１０２  インバータ
１０３  蛍光灯
１１０Ｌ，１１０Ｒ  スピーカー
１１１  チューナー
１１２  記録媒体再生部
１１３  赤外線受光部
１１４  映像エンジン／オーディオアンプ
３０２  電源
５０１  セットトップボックス
【図１】
2011082758.tif 000003
【図２】
2011082758.tif 000004
【図３】
2011082758.tif 000005
【図４】
2011082758.tif 000006
【図５】
2011082758.tif 000007
【図６】
2011082758.tif 000008